(57)【要約】【課題】薄型化しても、何ら補強部材を用いることなく凹状を維持しやすく、且つ、画像ムラや、振動、衝撃による画像の揺れを生じにくくすることができる反射シートを備えた表示装置を提供する。【解決手段】側面部１２（１）、１２（２）は、表示パネル側辺２１、２２を各々有しており、少なくとも一対の側面部１２（１）、１２（２）の各々には、表示パネル側辺２１、２２の基準頂点Ｐ１を基準として予め定められた近傍範囲内の位置Ｐ２を始点とし、底面部１１の方向に延びて、底面部１１の辺１１Ｂに終点がある第１スリット１５が少なくとも１つ形成されており、第１スリット１５は、２つの側面部１２（１）、１２（２）の各々を２つの領域１２Ａ、１２Ｂに区分し、２つの領域１２Ａ、１２Ｂの各々は、第１スリット１５側の予め定められた範囲２３、２５を有し、前記範囲２３、２５が互いにオーバーラップしている。【選択図】図４Ａ
2015040918.tif 000002
【特許請求の範囲】
【請求項１】
表示パネルと、
前記表示パネルの背面側から当該表示パネルに向けて光を照射する光源と、
前記表示パネルの背面側に配置され、前記光源からの光を前記表示パネル方向に反射する反射シートと、を備え、
前記反射シートは、互いに対向する二対の辺を有する四角形状の底面部と、前記底面部の４つの辺を取り囲むように配置される４つの側面部とを含むように、前記４つの側面部の境界部分にスリットが形成されることなく折り曲げられており、
前記４つの側面部は、前記表示パネル側の辺である表示パネル側辺を、各々有しており、
少なくとも互いに対向する一対の側面部の各々には、前記表示パネル側辺のうち、当該表示パネル側辺の２つの頂点のいずれか一方又は両方である基準頂点を基準として予め定められた近傍範囲内の位置を始点とし、前記底面部の方向に延びて、当該底面部の辺上に終点がある第１スリットが少なくとも１つ形成されており、
前記第１スリットは、前記一対の側面部の各々を２つの領域に区分し、
前記２つの領域の各々は、前記第１スリット側の予め定められた範囲を有し、前記２つの領域の前記予め定められた範囲が互いにオーバーラップしている
表示装置。
【請求項２】
前記一対の側面部の各々には、前記表示パネル側辺の２つの頂点の各々を前記基準頂点とする、２つの前記第１スリットが形成されている
請求項１に記載の表示装置。
【請求項３】
さらに、
前記第１スリットの終点を始点として、前記底面部の辺に沿って、前記第１スリットの終点に近い前記側面部の方向に延びる第２スリットが形成されており、
前記２つの領域は、前記第２スリットが形成されている第１領域と、前記第２スリットが形成されてはいない第２領域とであり、
前記第２スリットは、前記第１領域の前記第２スリット側の端部を支持する
請求項１又は２に記載の表示装置。
【請求項４】
さらに、
前記反射シートの前記底面部を前記反射シートの背面側から支持する背面側支持部材を備え、
前記表示パネル側辺には、前記背面側支持部材の外周部に重なる耳部が設けられており、
前記２つの領域をオーバーラップさせた際に、前記２つの領域の前記耳部が互いにオーバーラップする
請求項１〜３のいずれか１項に記載の表示装置。
【請求項５】
前記底面部は、互いに平行な２つの長辺と、互いに平行な２つの短辺とを有する長方形状であり、
前記第１スリットが形成される前記側面部は、前記短辺を含む短辺側側面部である
請求項１〜４のいずれか１項に記載の表示装置。
【請求項６】
前記底面部は、互いに平行な２つの長辺と、互いに平行な２つの短辺とを有する長方形状であり、
前記第１スリットが形成される前記側面部は、前記長辺を含む一対の長辺側側面部である
請求項１〜４のいずれか１項に記載の表示装置。
【請求項７】
前記第１スリットが形成される前記側面部は、前記４つの側面部であり、
前記第１スリットは、前記側面部に１つ形成されている
請求項１〜６のいずれか１項に記載の表示装置。
【発明の詳細な説明】
【技術分野】
【０００１】
本発明は、表示装置に関し、特に、光源からの光を表示パネル方向に反射する反射シートを備えた表示装置に関する。
【背景技術】
【０００２】
光源からの光を表示パネル方向に反射する反射シートを備えた表示装置が知られている（例えば、特許文献１参照）。
【０００３】
特許文献１には、光源からの光を表示パネル方向に反射させる凹状の反射シートを備えた表示装置が開示されている。
【０００４】
図１１は、従来の反射シートの構成を示した斜視図である。図１２は、従来の反射シートの構成を示した平面図である。なお、図１１及び図１２において、Ｘ軸で水平方向を表し、Ｙ軸で奥行き方向を表している。
【０００５】
この種の反射シート１００は、矩形状の底面部１０１と、当該底面部１０１の４つの辺を取り囲むように配置される４つの側面部１０２と、を備える。
【０００６】
底面部１０１には、水平方向に複数のＬＥＤ２００が配列されてなるＬＥＤ群２００Ａ〜２００Ｃが、奥行き方向に沿って所定の列（この例では３列）配置されている。
【０００７】
なお、図１１及び図１２では、スリット１０４が開いて反射シート１００の反射効率を落とすことがないように、２つの側面部１０２の各々の境界部分に、重ね部１０４Ａ、１０４Ｂがそれぞれ形成されている。重ね部１０４Ａ、１０４Ｂは、隣接する側面部１０２の端部と重なり合う。
【０００８】
図１３は、反射シート１００の機能について説明するための側面図である。
【０００９】
反射シート１００は、リアフレーム５００の上方に取り付けられている。反射シート１００の側面部１０２は、リアフレーム５００の表面に沿って配置されている。
【００１０】
また、反射シート１００の底面部１０１には、ＬＥＤ２００を貫通させるための孔が形成されており、この孔にＬＥＤ２００が貫通している。拡散板４００は、ＬＥＤ２００の光軸方向に設けられる。拡散板４００は、ＬＥＤ２００からの光軸を拡散させる。
【００１１】
反射シート１００は、光軸Ｌ１のように直接拡散板４００に到達せずに、光軸Ｌ２のような、拡散板４００を直接通過しない光を反射させ、拡散板４００を通過させる。つまり、反射シート１００は、ＬＥＤ２００から拡散板４００に達しない光を反射させて拡散板４００に到達させる、いわゆる、光のリサイクルを行う。
【先行技術文献】
【特許文献】
【００１２】
【特許文献１】特許第４９０３２５３号公報
【発明の概要】
【発明が解決しようとする課題】
【００１３】
図１４は、従来の反射シートの展開図である。反射シート１００は、光を透過しないミシン目１０３（なお、ミシン目１０３は破線で示している。）を谷折りすることにより構成される。これにより、矩形状の底面部１０１と、底面部１０１の４辺のうち１つの辺を含む、４つの側面部１０２が形成される。
【００１４】
反射シート１００には、ミシン目１０３が谷折りされたときに凹状となるように、四隅にスリット１０４が形成されている。
【００１５】
このように、四隅にスリット１０４を設けた場合、スリット１０４の合わせ目に隙間ができやすいので、反射シート１００の上方に設けられている表示パネルのうち、スリット１０４の真上の位置には光束が届きにくいことがある。この場合、表示パネルに表示されている画像上に画像ムラができやすい。
【００１６】
なお、図１１及び図１２では、これを抑制するための重ね部１０４Ａ、１０４Ｂが形成されている。重ね部１０４Ａ、１０４Ｂが隣接する側面部１０２に接することにより、四隅に隙間ができにくくなる。しかしながら、重ね部１０４Ａ、１０４Ｂを、隣接する側面部１０２に重ね合わせるのに手間を要する。ひいては、組立工数が増加する。
【００１７】
また、スリット１０４の合わせ目をフックで補強する方法があるが、拡散板４００でフックを突いてしまうことなどにより、フックが外れることがある。また、フックを架けるのに手間を要する。
【００１８】
ところで、近年、コストダウンのために、反射シート１００の薄型化が要求されている。しかしながら、反射シート１００を薄型化すると、側面部１０２の剛性が低下するので、側面部１０２がたわみやすくなる。
【００１９】
図１５は、側面部１０２がたわんでいる状態を表す図である。図１５に示すように、反射シート１００は、側面部１０２に設けられた耳部６００が、リアフレーム２の外周部２Ａ２（図２参照）と重なることによって、リアフレーム２に固定される。
【００２０】
一方で、底面部１０１には、ＬＥＤ２００が貫通する複数の孔部１０１Ａが形成されており、底面部１０１は、ＬＥＤ２００が実装されたＬＥＤ基板７００上に載置されるのみである。したがって、リアフレーム２の外周部２Ａ２は、反射シート１００の固定には寄与するが、ＬＥＤ基板７００は、反射シート１００の固定には寄与しない。
【００２１】
よって、側面部１０２は、その一端だけが壁に固定された１枚の板と見立てることができる。これにより、側面部１０２を１枚の板と見立てた“片持ちはりの公式”が成立する。
【００２２】
図１６は、側面部１０２を１枚の板と見立てることにより成立する“片持ちはりの公式”について説明するための図である。いま、板に見立てた側面部１０２の一端が壁９００に固定され、側面部１０２の他端が何ら固定されていないものとする。
【００２３】
この場合、側面部１０２の縦弾性係数を“Ｅ”、側面部１０２の厚みを“ｈ”、側面部１０２の長さを“Ｌ”、側面部１０２の幅を“ｂ”、側面部１０２の他端にかかる荷重を“Ｐ”とする。この場合、側面部１０２の断面二次モーメントが、“ｌｚ＝ｂｈ３／１２”で表される。
【００２４】
側面部１０２のたわみ量ｖは、“ｖ＝ＰＬ３／３ＥＬｚ”であるから、側面部１０２の厚み“ｈ”が小さくなるほど、断面二次モーメントが小さくなり、側面部１０２のたわみ量ｖが大きくなる。
【００２５】
以上のように、反射シート１００を薄型化すると、側面部１０２がたわみやすくなり、反射シート１００が凹状を維持しにくくなる。この場合、互いに隣接する２つの側面部１０２の間に隙間ができやすくなり、画像ムラが生じる。また、側面部１０２が振動や衝撃で波打ちやすくなる。この場合、画像が揺れて見えてしまう。
【００２６】
このようなたわみが生じても、反射シート１００の凹状を維持するために、図１７に示すように、互いに隣り合う側面部１０２の各々に折り曲げ部を設け、１つの側面部１０２に形成された折り曲げ部を、隣接する側面部１０２に向けて折り曲げることが試みられてはいる。
【００２７】
図１７は、互いに隣り合う側面部１０２の各々に折り曲げ部を設けた例を表す図である。
【００２８】
互いに隣接する側面部１０２（１）、１０２（２）の境界部分において、一方の側面部１０２（１）には、他方の側面部１０２（２）に形成された折り曲げ部１０６（２）が嵌る凹部１０５が形成されている。
【００２９】
また、側面部１０２（１）には、他方の側面部１０２（２）に向けて折り曲げる折り曲げ部１０６（１）が形成されている。
【００３０】
一方で、他方の側面部１０２（２）には、側面部１０２（１）に形成された凹部１０５にはめ込まれ、側面部１０２（１）に向けて折り曲げられる折り曲げ部１０６（２）が形成されている。
【００３１】
なお、側面部１０２（１）と、側面部１０２（２）とは反対側で隣接する側面部１０２（３）との間の境界部分においても、側面部１０２（１）と側面部１０２（２）との境界部分と同様に、折り曲げ部１０６（３）や、図示しない凹部が形成されている。
【００３２】
しかしながら、このような折り曲げ部１０６（１）〜１０６（３）を折り曲げるのは、手間を要し、ひいては、組立工数が増加する。
【００３３】
本発明は、上述の課題を解決するためになされたものであり、反射シートを薄型化しても、何ら補強部材を用いることなく、反射シートの凹状を維持しやすく、且つ、画像ムラや、振動、衝撃による画像の揺れを生じにくくすることができる反射シートを備えた表示装置を提供することを目的とする。
【課題を解決するための手段】
【００３４】
上記目的を達成するために、本発明の一態様に係る表示装置は、表示パネルと、前記表示パネルの背面側から当該表示パネルに向けて光を照射する光源と、前記表示パネルの背面側に配置され、前記光源からの光を前記表示パネル方向に反射する反射シートと、を備え、前記反射シートは、互いに対向する二対の辺を有する四角形状の底面部と、前記底面部の４つの辺を取り囲むように配置される４つの側面部とを含むように、前記４つの側面部の境界部分にスリットが形成されることなく折り曲げられており、前記４つの側面部は、前記表示パネル側の辺である表示パネル側辺を、各々有しており、少なくとも互いに対向する一対の側面部の各々には、前記表示パネル側辺のうち、当該表示パネル側辺の２つの頂点のいずれか一方又は両方である基準頂点を基準として予め定められた近傍範囲内の位置を始点とし、前記底面部の方向に延びて、当該底面部の辺上に終点がある第１スリットが少なくとも１つ形成されており、前記第１スリットは、前記一対の側面部の各々を２つの領域に区分し、前記２つの領域の各々は、前記第１スリット側の予め定められた範囲を有し、前記２つの領域の前記予め定められた範囲が互いにオーバーラップしている。
【００３５】
この構成によると、４つの側面部のうち少なくとも一対の側面部の各々には、表示パネル側の辺である表示パネル側辺のうち基準頂点から近傍範囲内の位置を始点とし、底面部の辺を終点とする第１スリットが少なくとも１つ形成されている。そして、一対の側面部の各々は、第１スリットによって、２つの領域に区分され、２つの領域の第１スリット側の予め定められた範囲が互いにオーバーラップしている。
【００３６】
これにより、少なくとも１対の側面部の各々において、２つの領域がオーバーラップするオーバーラップ部分がそれぞれ形成されるので、少なくとも１対の側面部の各々では、オーバーラップ部分によって一部の厚みが増す。これにより、少なくとも一対の側面部の剛性が強くなる。
【００３７】
その結果、反射シートを薄型化しても、何ら補強部材を用いることなく、反射シートの凹状を維持しやすく、且つ、画像ムラや、振動、衝撃による画像の揺れを生じにくくすることができる。
【００３８】
また、前記一対の側面部の各々には、前記表示パネル側辺の２つの頂点の各々を前記基準頂点とする、２つの前記第１スリットが形成されていてもよい。
【００３９】
この構成によると、一対の側面部の各々には、２つの第１スリットが形成されているので、１つの側面部において２箇所でオーバーラップ部分が生じる。その結果、オーバーラップ部分が１箇所の場合と比べて、厚みの大きな部分が２箇所に増えるので、側面部の剛性をより強くすることができる。
【００４０】
また、さらに、前記第１スリットの終点を始点として、前記底面部の辺に沿って、前記第１スリットの終点に近い前記側面部の方向に延びる第２スリットが形成されており、前記２つの領域は、前記第２スリットが形成されている第１領域と、前記第２スリットが形成されてはいない第２領域とであり、前記第２スリットは、前記第１領域の前記第２スリット側の端部を支持してもよい。
【００４１】
この構成によると、第２スリットが、第１領域の第２スリット側の端部を支持するので、第１領域と第２領域との間のオーバーラップ状態を安定して保持することができる。
【００４２】
また、さらに、前記反射シートの前記底面部を前記反射シートの背面側から支持する背面側支持部材を備え、前記表示パネル側辺には、前記背面側支持部材の外周部に重なる耳部が設けられており、前記２つの領域をオーバーラップさせた際に、前記２つの領域の前記耳部が互いにオーバーラップしてもよい。
【００４３】
この構成によると、２つの領域をオーバーラップさせた際に、各領域の耳部が互いにオーバーラップするので、耳部の一部の厚みが増すので、耳部の剛性を強くすることができる。
【００４４】
また、前記底面部は、互いに平行な２つの長辺と、互いに平行な２つの短辺とを有する長方形状であり、前記第１スリットが形成される前記側面部は、前記短辺を含む短辺側側面部であってもよい。
【００４５】
この構成によると、短辺側側面部に、第１スリットによるオーバーラップ部分が形成されるので、短辺側側面部の剛性を強くすることができる。
【００４６】
或いは、前記底面部は、互いに平行な２つの長辺と、互いに平行な２つの短辺とを有する長方形状であり、前記第１スリットが形成される前記側面部は、前記長辺を含む一対の長辺側側面部であってもよい。
【００４７】
この構成によると、長辺側側面部に、第１スリットによるオーバーラップ部分が形成されるので、短辺側側面部よりもたわみやすい長辺側側面部の剛性を強くすることができる。
【００４８】
また、前記第１スリットが形成される前記側面部は、前記４つの側面部であり、前記第１スリットは、前記側面部に１つ形成されていてもよい。
【００４９】
この構成によると、４つの側面部全てに第１スリットによるオーバーラップ部分が１つ形成されるので、全ての側面部の剛性を強化することができる。
【発明の効果】
【００５０】
本発明によると、反射シートを薄型化しても、何ら補強部材を用いることなく、反射シートの凹状を維持しやすく、且つ、画像ムラや、振動、衝撃による画像の揺れを生じにくくすることを、展開面積を大きくせずに達成することができる。
【図面の簡単な説明】
【００５１】
【図１】本発明の実施の形態１に係る表示装置の外観の一例を示した斜視図である。
【図２】図１の表示装置を分解した状態を表す分解斜視図である。
【図３】本発明の実施の形態１に係る表示装置で用いられる反射シートの一例を示した展開図である。
【図４Ａ】図３の反射シートの隅部を拡大した拡大図である。
【図４Ｂ】図４Ａの隅部をさらに拡大した拡大図である。
【図５】図３の反射シートを組み立てた状態を表す平面図である。
【図６】本発明の実施の形態２に係る表示装置で用いられる反射シートの一例を示した展開図である。
【図７Ａ】図６の反射シートの隅部を拡大した拡大図である。
【図７Ｂ】図７Ａの隅部をさらに拡大した拡大図である。
【図８】図６の反射シートを組み立てた状態を表す平面図である。
【図９】本発明の実施の形態３に係る表示装置で用いられる反射シートの一例を示した展開図である。
【図１０】図９の反射シートを組み立てた状態を表す平面図である。
【図１１】従来の反射シートの構成を示した斜視図である。
【図１２】従来の反射シートの構成を示した平面図である。
【図１３】反射シートの機能について説明するための側面図である。
【図１４】従来の反射シートの展開図である。
【図１５】側面部がたわんでいる状態を表す図である。
【図１６】側面部を１枚の板と見立てることにより成立する片持ちはりの公式について説明するための図である。
【図１７】互いに隣り合う側面部の各々に折り曲げ部を設けた例を表す図である。
【図１８Ａ】新たに開発されている反射シートを組み立てた後の状態を表した図である。
【図１８Ｂ】図１８Ａの反射シートの展開図である。
【図１９Ａ】底面部の奥行きが大きな反射シートを組み立てた状態を表した図である。
【図１９Ｂ】図１９Ａの反射シートの展開図である。
【発明を実施するための形態】
【００５２】
反射シートを薄型化しても、何ら補強部材を用いることなく、反射シートの凹状を維持でき、表示パネルの輝度のムラや、振動、衝撃による画像の揺れを生じにくくした反射シートとしては、例えば、図１８Ａ及び図１８Ｂに示す反射シート１００Ａが開発されている。
【００５３】
図１８Ａは、反射シート１００Ａを組み立てた後の状態を表し、図１８Ｂは、図１８Ａの反射シート１００Ａの展開図である。なお、図１８Ａ及び図１８Ｂにおいて、水平方向をＸ軸で表し、奥行き方向をＹ軸で表している。
【００５４】
この反射シート１００Ａは、図１８Ｂに示すようなミシン目１０３（破線で表している）を谷折りにすることにより凹状に組み立てられる。これにより、反射シート１００Ａは、長方形状の底面部１０１と、底面部１０１を取り囲む４つの側面部１０２とが形成される。底面部１０１は、一対の短辺１０１（１）と、一対の長辺１０１（２）とを有する。一対の短辺１０１（１）の双方には、後述するように、第２スリット１１１が形成される。
【００５５】
また、図１８Ｂに示すミシン目１０９（一点鎖線で表している）を山折りにすることにより、耳部６００（図１５参照）が形成される。
【００５６】
反射シート１００Ａには、底面部１０１の短辺１０１（１）側の一対の側面部１０２の各々の中央部分に、各側面部１０２を２つの領域１０２Ａ、１０２Ｂに区分する第１スリット１１０が、底面部１０１の短辺１０１（１）にまで達するように水平方向に形成されている。
【００５７】
そして、第１スリット１１０によって形成された領域１０２Ａのうち、底面部１０１に近い側の端部１０２Ｃと、第１スリット１１０によって形成された領域１０２Ｂのうち、底面部１０１に近い側の端部１０２Ｄとが、底面部１０１の裏面（紙面奥側）と接するように、底面部１０１の短辺１０１（１）全体に、第２スリット１１１が形成されている。
【００５８】
この構成によると、作業者が、破線で示されるミシン目１０３を谷折りにすると、領域１０２Ａの第１スリット１１０側の端部１０７と、領域１０２Ｂの第１スリット１１０側の端部１０８とがオーバーラップする。このとき、作業者は、領域１０２Ａのうち底面部１０１に近い側の端部１０２Ｃと、領域１０２Ｂのうち底面部１０１に近い側の端部１０２Ｄとを、第２スリット１１１の中に入れ込む。
【００５９】
すると、図１８Ａに示すように、領域１０２Ａと領域１０２Ｂとの間の重ね部分２０が形成される。そして、この重ね部分２０は、領域１０２Ａの端部１０２Ｄと、領域１０２Ｂの端部１０２Ｄとが、底面部１０１の裏側に重なることによって固定される。
【００６０】
ところが、この種の反射シート１００Ａのように、一対の側面部１０２の各々の中央部分に、底面部１０１にまで達する第１スリット１１０を形成するとともに、第１スリット１１０と直交する、底面部１０１の短辺１０１（１）全てに、第２スリット１１１を形成することにより、上述の効果を奏するのは、底面部１０１の奥行き（短辺１０１（１））が短いときに限定される。
【００６１】
したがって、底面部１０１の奥行きが大きなものについては、以下のような課題が生じる。
【００６２】
図１９Ａは、底面部１０１の奥行きが大きな反射シート１００Ｂを組み立てた状態を表し、図１９Ｂは、図１９Ａの反射シート１００Ｂの展開図である。なお、図１９Ａ及び図１９Ｂにおいて、水平方向をＸ軸で表し、奥行き方向をＹ軸で表している。
【００６３】
この反射シート１００Ｂでは、図１９Ａ及び図１９Ｂに示すように、底面部１０１は、先述の反射シート１００Ａの短辺１０１（１）よりも長さが大きな短辺１０１（１）を一対有する。且つ、底面部１０１は、一対の長辺１０１（２）を有する。
【００６４】
このような反射シート１００Ｂにおいて、底面部１０１の短辺１０１（１）全体に第２スリット１１１を形成すると、底面部１０１の短辺１０１（１）そのものが先述の反射シート１００Ａよりも長いので、第２スリット１１１の長さが大きくなる。また、反射シート１００Ｂを組み立てた際に凹状の安定化のために、第２スリット１１１を略三角形状に形成する必要がある。
【００６５】
このように、第２スリット１１１が長くなると、第２スリット１１１による、領域１０２Ａ及び１０２Ｂの固定が甘くなりやすく、領域１０２Ａと領域１０２Ｂとの間のオーバーラップが崩れやすくなる。そして、側面部１０２の剛性が弱くなる。
【００６６】
また、第２スリット１１１が長くなると、反射シート１００Ｂの凹状の安定化のために、第２スリット１１１を略三角形状に形成する必要がある。この場合、反射シート１００Ｂの展開面積が広くなる。展開面積が広くなると、反射シート１００Ｂの剛性が弱くなる。
【００６７】
以上を踏まえ、反射シートを薄型化しても、何ら補強部材を用いることなく、反射シートの凹状を維持でき、表示パネルの輝度のムラや、振動、衝撃による画像の揺れを生じにくくなる他に、展開面積を小さくすることができる、本発明に係る表示装置について、以下説明する。
【００６８】
以下、本発明の実施の形態について、図面を用いて詳細に説明する。なお、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００６９】
（実施の形態１）
＜表示装置の構成＞
図１は、本発明の実施の形態１に係る表示装置の外観の一例を示した斜視図である。図２は、図１の表示装置を分解した状態を表す分解斜視図である。なお、図２において、前方側の方向をＺ１方向で表し、後方側の方向をＺ２方向で表す。
【００７０】
表示装置Ａは、フロントキャビネット３と、複数のベゼル４と、液晶パネル５と、モールドフレーム６と、光学板７と、反射シート１と、リアフレーム２とを備える。フロントキャビネット３は、表示装置Ａの前方側に配置される枠状の部材である。各ベゼル４は、表示パネル５の外枠を保護し当該外枠に沿って設けられる部材である。表示パネル５は、例えば、液晶パネルであり、画像を表示する。
【００７１】
モールドフレーム６は、表示パネル５をその背面側から支持する部材である。光学板は、拡散板や導光板等、複数の部材からなる部材である。
【００７２】
リアフレーム２は、表示装置Ａの後部筐体となる部材である。リアフレーム２には、反射シート１の底面部１１に対応した大きさの底面２Ａ１を有する凹部２Ａが形成されている。
【００７３】
凹部２Ａの底面２Ａ１には、図示しないＬＥＤ基板やヒートシンクを介して、反射シート１の底面部１１が配置される。よって、リアフレーム２は、反射シート１の底面部１１を背面側から支持する背面側支持部材としての機能を果たす。
【００７４】
リアフレーム２は外周部２Ａ２を有する。外周部２Ａ２には、反射シート１の耳部１７が重なる。
【００７５】
反射シート１は、ＬＥＤ（Ｌｉｇｈｔ  Ｅｍｉｔｔｉｎｇ  Ｄｉｏｄｅ；光源）からの光を表示パネル５方向に反射させる部材である。反射シート１の外周部には、リアフレーム２の外周部２Ａ２に重なる耳部１７が形成されている。
【００７６】
＜反射シートの構成＞
図３は、本発明の実施の形態１に係る表示装置で用いられる反射シートの一例を示した展開図である。図４Ａは、図３の反射シートの隅部を拡大した拡大図である。図４Ｂは、図４Ａの隅部をさらに拡大した拡大図である。図５は、図３の反射シートを組み立てた状態を表す平面図である。
【００７７】
なお、図３〜図５において、右方向をＸ１方向で表し、左方向をＸ２方向で表し、奥行き方向をＹ１方向で表し、手前方向をＹ２方向で表している。また、図４Ａ及び図４Ｂで表される隅部は、図３の左上の隅部１９を表している。その他の隅部１９（右上、左下、及び右下の隅部１９）については、図４Ａ及び図４Ｂの隅部と同様であるため、説明及び図示を省略する。
【００７８】
この反射シート１では、底面部１１に、ＬＥＤ２００が貫通する貫通孔１１Ａが複数形成されている。反射シート１は、４つの隅部１９を有する、これら４つの隅部１９の各々には切欠１８が形成されている。
【００７９】
この反射シート１は、図４Ａに示すように、切欠１８が形成されている。この切欠１８が形成されていることにより、反射シート１を組み立てた際には、突出片１７０Ａと端部１７０Ｂとが接し、頂点Ｐ１が形成される。頂点Ｐ１からは、図４Ａに示すように、上下方向に対して外側へ向かう方向（図４Ａでは左斜め下方向）に延びる、第２ミシン目１４Ｂ（図４Ａにおいて一点鎖線で示している）が形成されている。この第２ミシン目１４Ｂは、反射シート１が凹状に組み立てられたときに、表示パネル側辺２１を構成する。
【００８０】
第２ミシン目１４Ｂには、当該第２ミシン目１４Ｂと平行な突出片１７０Ａが設けられている。突出片１７０Ａは、頂点Ｐ１側の端部１７０Ａ１と、頂点Ｐ１とは逆側の端部１７０Ａ２とを有する。端部１７０Ａ２からは、第２ミシン目１４Ｂの延長上に、辺２７０が設けられている。
【００８１】
辺２７０は、例えば、図４Ｂに示すように、後述するオーバーラップ部分２３において、右斜め下のハッチングで表される直角三角形状の領域２７００を形成する。この領域２７００は、３つの頂点２７０Ａ、２７０Ｂ、及び２７０Ｃを有している。頂点２７０Ｃは、上下方向に平行な辺２９の始点となる点である。第１スリット１５は、後述するように、この頂点２７０Ｃを始点Ｐ２として形成される。
【００８２】
辺２９からは、図４Ａ及び図４Ｂに示すように、右方向に、突出片１７０Ａの第２ミシン目１４Ｂからの突出具合にあわせた幅Ｄだけ離れた位置に、第２ミシン目１４Ａ（図４Ａ、図４Ｂにおいて一点鎖線で示している）が形成されている。この第２ミシン目１４Ａは、辺２９と平行に形成されており、反射シート１が凹状に折り曲げられたとき、表示パネル側辺２１を構成する。
【００８３】
さらに、反射シート１では、図４Ａに示すように、頂点Ｐ１から右方向に延びる第２ミシン目１４Ｃ（図４Ａにおいて一点鎖線で示している）が形成されている。この第２ミシン目１４Ｃは、辺３０との間で上下方向に距離Ｄだけ離れるようにして、辺３０と平行に形成されている。この第２ミシン目１４Ｂは、反射シート１が凹状に組み立てられたとき、表示パネル側辺２２を構成する。
【００８４】
第２ミシン目１４Ａ及び１４Ｂが山折りされたとき、これらによって表示パネル側辺２１が形成され、第２ミシン目１４Ｃが山折りされたとき、これによって表示パネル側辺２２が形成される。そして、第２ミシン目１４Ａ、１４Ｂ、及び１４Ｃが山折りされたとき、これらの各々と、反射シート１の端部との間の領域によって、耳部１７が形成される。
【００８５】
また、反射シート１には、破線で表される第１ミシン目１３が形成されている。図５に示すように、第１ミシン目１３が谷折りされることにより、１つの底面部１１と、底面部１１の短辺１１Ｂを含む一対の短辺側側面部１２（１）と、底面部１１の長辺１１Ｃを含む一対の長辺側側面部１２（２）とが形成される。
【００８６】
短辺側側面部１２（１）側の第１ミシン目１３は、反射シート１が凹状に組み立てられたとき、底面部１１の短辺１１Ｂを構成する。また、長辺側側面部１２（２）側の第１ミシン目１３は、反射シート１が凹状に組み立てられたとき、底面部１１の長辺１１Ｃを構成する。
【００８７】
また、底面部１１の四隅には、後述する第１領域１２Ａのオーバーラップ部分２４を、後述する第２スリット１６から底面部１１の裏（紙面奥側）に入れやすくするように、孔部１３０が形成されている。
【００８８】
表示パネル側辺２１は、図５に示すように、２つの頂点Ｐ１、Ｐ１を有する。表示パネル側辺２１には、図４Ａに示すように、頂点Ｐ１を基準頂点として、当該基準頂点の近傍範囲内の位置（この例では、始点Ｐ２）を始点とし、底面部１１の短辺１１Ｂ方向に延びて、短辺１１Ｂを終点Ｐ３とする第１スリット１５が形成されている。
【００８９】
この第１スリット１５は、図３に示すように、短辺側側面部１２（１）を、基準頂点Ｐ１を含む第１領域１２Ａと、基準頂点Ｐ１を含まない第２領域１２Ｂとに区分する。
【００９０】
また、第１スリットの終点Ｐ３から、図４Ａに示すように、底面部１１の短辺１１Ｂに沿って、一対の長辺側側面部１２（２）のうち、第１スリット１５に近い側の長辺側側面部１２（２）に向けて延び、底面部１１の孔部１３０を終点Ｐ４とする第２スリット１６が形成されている。
【００９１】
図４Ａに示すように、第１スリット１５によって区分された第１領域１２Ａは、第１スリット１５を含む第１オーバーラップ部分２３（第１スリット１５側の予め定められた領域）と、第２スリット１６を含む第２オーバーラップ部分２４（第１領域１２Ａの第２スリット１６側の端部）と、を有する。なお、図４Ａにおいて、第１オーバーラップ部分２３は、右斜め下へ向かうハッチングで表され、第２オーバーラップ部分２４は、左斜め下へ向かうハッチングで表されている。
【００９２】
このような構成の反射シート１は、組立作業の工程においては、先述したように、第１ミシン目１３が谷折りされ、第２ミシン目１４Ａ〜１４Ｃが山折りされる。このとき、孔部１３０によって、第１領域１２Ａの第２オーバーラップ部分２４が、第２スリット１６を通じて、底面部１１の裏側（紙面奥側）に入りやすくなっているので、作業者は、第２オーバーラップ部分２４を、底面部１１の裏側（紙面奥側）に入れる。
【００９３】
その後、作業者は、第１スリット１５によって区分された第１領域１２Ａを、第２領域１２Ｂの表面（紙面手前側）に接触させる。
【００９４】
＜作用＞
こうすると、第１領域１２Ａの第１スリット１５側の予め定められた範囲であるオーバーラップ部分２３（図４Ａ参照）が、第２領域１２Ｂの第１スリット１５側の予め定められた領域２５（二点鎖線のハッチングで表された領域；図４Ａ参照）と重なる。これにより、図５に示すように、オーバーラップ部分２３が領域２５に重なり合う重なり部２０が形成される。
【００９５】
また、第１領域１２Ａの第２スリット１６側の予め定められた範囲であるオーバーラップ部分２４（図４Ａ参照）が、底面部１１の予め定められた領域２６（二点鎖線のハッチングで表された領域；図４Ａ参照）と重なる。これにより、図５に示すように、オーバーラップ部分２４が領域２６と重なり合う重なり部３１が形成される。このように、オーバーラップ部分２４が領域２６と重なり合うことによって、第１領域１２Ａのオーバーラップ部分２４が、第２スリット１６によって支持される。
【００９６】
さらに、図４Ａに示すように、第１領域１２Ａのオーバーラップ部分２３と、第２領域１２Ｂの領域２５とを重ねることにより、突出片１７０Ａと第２領域の端部１７０Ｃとが重なりあう。これにより、耳部１７同士がオーバーラップしたオーバーラップ部分２８が形成される。
【００９７】
＜効果＞
以上の構成によると、第１領域１２Ａのオーバーラップ部分２４と、底面部１１の領域２６とが重なることにより、第１領域１２Ａがぐらつきにくくなるので、第１領域１２Ａのオーバーラップ部分２３と、第２領域１２Ｂの領域２５との間の重なりを強固にすることができる。これにより、短辺側側面部１２（１）の剛性が強くなる。
【００９８】
これにより、薄型化しても、何ら補強部材を用いることなく凹状を維持しやすく、且つ、表示パネルの輝度のムラや、振動、衝撃による画像の揺れを生じにくくした反射シートを、展開面積を大きくすることなく提供することができる。
【００９９】
また、第２スリット１６を、第１スリット１５の終点Ｐ３を始点として、底面部１１の短辺１１Ｂに沿って、第１スリット１５の終点Ｐ３に近い側の長辺側側面部１２（２）に向けて形成しているので、第２スリット１６の長さを小さくすることができる。
【０１００】
そのため、先述したように、底面部１１の奥行き方向全体に第２スリット１１１を形成する場合とは異なり、展開面積が広がることを抑制することができるので、短辺側側面部１２（１）の剛性を強化することができる。
【０１０１】
さらに、先述したように、耳部１７同士がオーバーラップしたオーバーラップ部分２８が形成される。これにより、耳部１７の一部の厚みが増すので、耳部１７の形状を安定させることができる。
【０１０２】
＜基準頂点の近傍範囲内の位置について＞
なお、頂点（基準頂点）Ｐ１の近傍範囲内の位置としては、頂点Ｐ１から表示パネル側辺２１に沿って中央部分までには達しない位置、より詳しくは、突出片１７０Ａから延長される形で形成された辺２７０のうち、突出片１７０Ａの端部１７０Ａ２の近傍であることが好ましい（図４Ａ及び図４Ｂ参照）。
【０１０３】
要するに、頂点Ｐ１から短辺側側面部１２（１）の中央部には達しない位置までの範囲内で、オーバーラップ部分２３及び２４を、各々、領域２５、２６にオーバーラップさせても、反射シート１の凹状がくずれない位置であればよい。
【０１０４】
＜その他＞
なお、上述の説明では、左上の隅部１９Ａについて説明したが、左下の隅部１９Ｂ、右上の隅部１９Ｃ、及び、右下の隅部１９Ｄにおいても、上述した手法によって、重なり部２０、２３や、耳部１７のオーバーラップ部分２８が形成される。
【０１０５】
よって、左下の隅部１９Ｂ、右上の隅部１９Ｃ、及び、右下の隅部１９Ｄにおいても、上述の左上の隅部１９Ａの作用及び効果と同じ作用及び効果を得ることができる。
【０１０６】
特に、図５に示すように、重なり部２０が短辺側側面部１２（１）において２つ形成されているので、重なり部２０が１つの場合よりも、短辺側側面部１２（１）の剛性を強くすることができる。
【０１０７】
（実施の形態２）
＜反射シートの構成＞
図６は、本発明の実施の形態２に係る表示装置で用いられる反射シートの一例を示した展開図である。図７Ａは、図６の反射シートの隅部を拡大した拡大図である。図７Ｂは、図７Ａの隅部をさらに拡大した拡大図である。図８は、図６の反射シートを組み立てた状態を表す平面図である。
【０１０８】
なお、図６〜図８において、右方向をＸ１方向で表し、左方向をＸ２方向で表し、奥行き方向をＹ１方向で表し、手前方向をＹ２方向で表している。また、図７Ａ及び図７Ｂで表される隅部は、図６の左上の隅部１９を表している。その他の隅部１９（右上、左下、及び右下の隅部１９）については、図７Ａ及び図７Ｂの隅部と同様であるため、説明及び図示を省略する。
【０１０９】
頂点Ｐ１からは、図７Ａに示すように、左右方向に対して外側へ向かう方向（図４Ａでは右斜め上方向）に延びる、第２ミシン目１４Ｄ（図７Ａで一点鎖線で示している）が形成されている。この第２ミシン目１４Ｄは、反射シート１Ａが凹状に組み立てられたときに、表示パネル側辺２２を構成する。
【０１１０】
第２ミシン目１４Ｄには、当該第２ミシン目１４Ｄと平行な突出片１７０Ｅが設けられている。突出片１７０Ｅは、頂点Ｐ１側の端部１７０Ｅ１と、頂点Ｐ１とは逆側の端部１７０Ｅ２とを有する。端部１７０Ｅ２からは、第２ミシン目１４Ｄの延長上に、辺３００が設けられている。
【０１１１】
辺３００は、例えば、図７Ｂに示すように、後述するオーバーラップ部分３５において、右斜め下のハッチングで表される直角三角形状の領域３０００を形成する。この領域３０００は、３つの頂点３００Ａ、３００Ｂ、及び３００Ｃを有している。頂点３００Ｃは、左右方向に平行な辺３０の始点となる点である。第１スリット１５は、後述するように、この頂点３００Ｃを始点Ｐ２として形成される。
【０１１２】
辺３０からは、図７Ａ及び図７Ｂに示すように、下方向に、突出片１７０Ｅの第２ミシン目１４Ｄからの突出具合にあわせた幅Ｄだけ離れた位置に、第２ミシン目１４Ｃが形成されている。この第２ミシン目１４Ｃは、辺３０と平行に形成されており、反射シート１Ａが凹状に折り曲げられたとき、表示パネル側辺２２を構成する。
【０１１３】
さらに、反射シート１Ａでは、図７Ａに示すように、頂点Ｐ１から下方向に延びる第２ミシン目１４Ａ（図７Ａにおいて一点鎖線で示している）が形成されている。この第２ミシン目１４Ａは、辺２９との間で左右方向に距離Ｄだけ離れるようにして、辺２９と平行に形成されている。この第２ミシン目１４Ａは、反射シート１Ａが凹状に組み立てられたとき、表示パネル側辺２１を構成する。
【０１１４】
第２ミシン目１４Ｃ及び１４Ｄが山折りされたとき、これらによって表示パネル側辺２２が形成され、第２ミシン目１４Ａが山折りされたとき、これによって表示パネル側辺２１が形成される。そして、第２ミシン目１４Ａ、１４Ｃ、及び１４Ｄが山折されたとき、これらの各々と、反射シート１Ａの端部との間の領域によって、耳部１７が形成される。
【０１１５】
また、反射シート１Ａには、破線で表される第１ミシン目１３が形成されている。図８に示すように、第１ミシン目１３が谷折りされることにより、１つの底面部１１と、底面部１１の短辺１１Ｂを含む一対の短辺側側面部１２（１）と、底面部１１の長辺１１Ｃを含む一対の長辺側側面部１２（２）とが形成される。
【０１１６】
短辺側側面部１２（１）側の第１ミシン目１３は、反射シート１が凹状に組み立てられたとき、底面部１１の短辺１１Ｂを構成する。また、長辺側側面部１２（２）側の第１ミシン目１３は、反射シート１が凹状に組み立てられたとき、底面部１１の長辺１１Ｃを構成する。
【０１１７】
また、底面部１１の四隅には、後述する第１領域１２Ｃのオーバーラップ部分３５を、後述する第２スリット１６から底面部１１の裏（紙面奥側）に入れやすくするように、孔部１３０が形成されている。
【０１１８】
表示パネル側辺２１は、図８に示すように、２つの頂点Ｐ１、Ｐ１を有する。表示パネル側辺２２には、図７Ａに示すように、頂点Ｐ１を基準頂点として、当該基準頂点の近傍範囲内の位置（この例では、始点Ｐ２）を始点とし、底面部１１の長辺１１Ｃ方向に延びて、長辺１１Ｃを終点Ｐ３とする第１スリット１５が形成されている。
【０１１９】
この第１スリット１５は、図６に示すように、長辺側側面部１２（２）を、基準頂点Ｐ１を含む第１領域１２Ｃと、基準頂点Ｐ１を含まない第２領域１２Ｄとに区分する。
【０１２０】
また、第１スリットの終点Ｐ３から、図７Ａに示すように、底面部１１の長辺１１Ｃに沿って、一対の短辺側側面部１２（１）のうち、第１スリット１５に近い側の短辺側側面部１２（１）に向けて延び、底面部１１の孔部１３０を終点Ｐ４とする第２スリット１６が形成されている。
【０１２１】
図７Ａに示すように、第１スリット１５によって区分された第１領域１２Ｃは、第１スリット１５を含む第１オーバーラップ部分３５（第１スリット１５側の予め定められた領域）と、第２スリット１６を含む第２オーバーラップ部分３６（第１領域１２Ａの第２スリット１６側の端部）と、を有する。なお、図７Ａにおいて、第１オーバーラップ部分３５は、右斜め下へ向かうハッチングで表され、第２オーバーラップ部分３６は、左斜め下へ向かうハッチングで表されている。
【０１２２】
このような構成の反射シート１は、組立作業の工程においては、先述したように、第１ミシン目１３が谷折りされ、第２ミシン目１４Ａ、１４Ｃ、及び１４Ｄが山折りされる。このとき、孔部１３０によって、第１領域１２Ｃの第２オーバーラップ部分３６が、第２スリット１６を通じて、底面部１１の裏側（紙面奥側）に入りやすくなっているので、作業者は、第２オーバーラップ部分３６を、底面部１１の裏側（紙面奥側）に入れる。
【０１２３】
その後、作業者は、第１スリット１５によって区分された第１領域１２Ｃを、第２領域１２Ｄの表面（紙面手前側）に接触させる。
【０１２４】
＜作用＞
こうすると、第１領域１２Ｃの第１スリット１５側の予め定められた範囲であるオーバーラップ部分３５（図７Ａ参照）が、第２領域１２Ｄの第１スリット１５側の予め定められた領域３７（二点鎖線のハッチングで表された領域；図７Ａ参照）と重なる。これにより、図８に示すように、オーバーラップ部分３５が領域３７に重なり合う重なり部２０が形成される。
【０１２５】
また、第１領域１２Ｃの第２スリット１６側の予め定められた範囲であるオーバーラップ部分３６（図７Ａ参照）が、底面部１１の予め定められた領域３８（二点鎖線のハッチングで表された領域；図７Ａ参照）と重なる。これにより、図８に示すように、オーバーラップ部分３６が領域３８と重なり合う重なり部３１が形成される。このように、オーバーラップ部分３６が領域３８と重なり合うことによって、第１領域１２Ｃのオーバーラップ部分３５が、第２スリット１６によって支持される。
【０１２６】
さらに、図７Ａに示すように、第１領域１２Ｃのオーバーラップ部分３５と、第２領域１２Ｃの領域３７とを重ねることにより、突出片１７０Ｅと第２領域１２Ｄの端部１７０Ｃとが重なりあう。これにより、耳部１７同士がオーバーラップしたオーバーラップ部分２８が形成される。
【０１２７】
＜効果＞
以上の構成によると、第１領域１２Ｃのオーバーラップ部分３６と、底面部１１の領域２３８が重なることにより、第１領域１２Ｃがぐらつきにくくなるので、第１領域１２Ｃのオーバーラップ部分３５と、第２領域１２Ｄの領域３７との間の重なりを強固にすることができる。これにより、長辺側側面部１２（２）の剛性が強くなる。
【０１２８】
これにより、薄型化しても、何ら補強部材を用いることなく凹状を維持しやすく、且つ、表示パネルの輝度のムラや、振動、衝撃による画像の揺れを生じにくくした反射シートを、展開面積を大きくすることなく提供することができる。
【０１２９】
また、第２スリット１６を、第１スリット１５の終点Ｐ３を始点として、底面部１１の長辺１１Ｃに沿って、第１スリット１５の終点Ｐ３に近い側の短辺側側面部１２（１）に向けて形成しているので、第２スリット１６の長さを小さくすることができる。
【０１３０】
そのため、先述したように、底面部１１の奥行き方向全体に第２スリット１１１を形成する場合とは異なり、展開面積が広がることを抑制することができるので、長辺側側面部１２（２）の剛性を強化することができる。
【０１３１】
さらに、先述したように、耳部１７同士がオーバーラップしたオーバーラップ部分２８が形成される。これにより、耳部１７の一部の厚みが増すので、耳部１７の形状を安定させることができる。
【０１３２】
＜基準頂点の近傍範囲内の位置について＞
なお、頂点（基準頂点）Ｐ１の近傍範囲内の位置としては、頂点Ｐ１から表示パネル側辺２２に沿って中央部分までには達しない位置、より詳しくは、突出片１７０Ｅから延長される形で形成された辺３００のうち、突出片１７０Ｅの端部１７０Ｅ２の近傍であることが好ましい（図７Ａ及び図７Ｂ参照）。
【０１３３】
要するに、頂点Ｐ１から長辺側側面部１２（２）の中央部には達しない位置までの範囲内で、オーバーラップ部分３５及び３７を、各々、領域３７、３８にオーバーラップさせても、反射シート１Ａの凹状がくずれない位置であればよい。
【０１３４】
＜その他＞
なお、上述の説明では、左上の隅部１９Ａについて説明したが、左下の隅部１９Ｂ、右上の隅部１９Ｃ、及び、右下の隅部１９Ｄにおいても、上述した手法によって、重なり部２０、２３や、耳部１７のオーバーラップ部分２８が形成される。
【０１３５】
よって、左下の隅部１９Ｂ、右上の隅部１９Ｃ、及び、右下の隅部１９Ｄにおいても、上述の左上の隅部１９Ａの作用及び効果と同じ作用及び効果を得ることができる。
【０１３６】
特に、長辺側側面部１２（２）に重なり部２０が形成されるので、薄型化によりたわみやすくなる長辺側側面部１２（２）の剛性を強くすることができる。
【０１３７】
（実施の形態３）
＜反射シートの構成＞
図９は、本発明の実施の形態３に係る表示装置で用いられる反射シートの一例を示した展開図である。図１０は、図９の反射シートを組み立てた状態を表す平面図である。
【０１３８】
本実施の形態３は、本実施の形態１と本実施の形態２とを組み合わせた形態である。したがって、先述した反射シート１及び１Ａと同一の構成要素については、同一の符号を付して、説明を省略する。
【０１３９】
この反射シート１Ｂでは、左上の隅部１９Ａ、及び、右下の隅部１９Ｄにおいては、先述の反射シート１Ａのように、長辺側側面部１２（２）上の位置Ｐ２を始点とした第１スリット１５が形成されるとともに、第１スリット１５の終点から、当該第１スリット１５に近い側の短辺側側面部１２（１）に向けて、第２スリット１６が形成されている。
【０１４０】
一方で、左下の隅部１９Ｂ、及び、右上の隅部１９Ｃにおいては、先述の反射シート１のように、短辺側側面部１２（１）上の位置Ｐ２を始点とした第１スリット１５が形成されるとともに、第１スリット１５の終点から、当該第１スリット１５に近い側の長辺側側面部１２（２）に向けて、第２スリット１６が形成されている。
【０１４１】
＜効果＞
この構成によると、一対の短辺側側面部１２（１）と、一対の長辺側側面部１２（２）とのすべてにおいて、１つの重なり部２０が形成されるため、全ての側面部の剛性を強化することができる。また、一対の短辺側側面部１２側の耳部１７と、一対の長辺側側面部１２側の耳部１７とのすべての耳部１７において重なり部２８が形成されるため、４つの耳部１７の各々の一部の厚みが増すから、４つの耳部１７全ての剛性を強化することができる。
【産業上の利用可能性】
【０１４２】
本発明は、例えば液晶ディスプレイ装置など、ＬＥＤによる光束を反射して表示パネルの方向へ向かわせる装置に適用できる。
【符号の説明】
【０１４３】
Ａ  表示装置
１、１Ａ、１Ｂ  反射シート
２  リアフレーム
１１  底面部
１１Ｂ  底面部の短辺
１１Ｃ  底面部の長辺
１２（１）  短辺側側面部
１２Ａ、１２Ｃ  第１領域
１２Ｂ、１２Ｄ  第２領域
１２（２）  長辺側側面部
１５  第１スリット
１６  第２スリット
１７  耳部
２０Ｂ  リアフレームの外周部
２１、２２  表示パネル側辺
２３、２４、３５、３６  オーバーラップ部分
２５、３７  第１領域のオーバーラップ部分が重なる領域
２６、３８  第２領域のオーバーラップ部分が重なる領域
２８  耳部のオーバーラップ部分
Ｐ１  基準頂点
Ｐ２  第１スリットの始点
Ｐ３  第２スリットの始点
５  表示パネル
２００  ＬＥＤ
【図１】
2015040918.tif 000003
【図２】
2015040918.tif 000004
【図３】
2015040918.tif 000005
【図４Ａ】
2015040918.tif 000006
【図４Ｂ】
2015040918.tif 000007
【図５】
2015040918.tif 000008
【図６】
2015040918.tif 000009
【図７Ａ】
2015040918.tif 000010
【図７Ｂ】
2015040918.tif 000011
【図８】
2015040918.tif 000012
【図９】
2015040918.tif 000013
【図１０】
2015040918.tif 000014
【図１１】
2015040918.tif 000015
【図１２】
2015040918.tif 000016
【図１３】
2015040918.tif 000017
【図１４】
2015040918.tif 000018
【図１５】
2015040918.tif 000019
【図１６】
2015040918.tif 000020
【図１７】
2015040918.tif 000021
【図１８Ａ】
2015040918.tif 000022
【図１８Ｂ】
2015040918.tif 000023
【図１９Ａ】
2015040918.tif 000024
【図１９Ｂ】
2015040918.tif 000025